(57)【要約】      （修正有）【課題】千枚通し等で真空が破壊され吸着盤が安易に離脱しない様にする。【解決手段】手で掴みにくい半球状に成形された構造物の中に真空発生装置部と真空破壊防御壁からの三部構造から成立しておる。吸着盤の外壁にリング状の防御壁とバネ材で上下作動する防御壁を複設し平面はもとよりウインドウー硝子、車体等の曲面に密着して鋭利な刃物や千枚道しが貫通して，真空を破壊することが出来ず，考案した吸着盤の脱離が不可能である。解除鍵で真空発生装置の解除を実行して、吸着盤を取り外す。【選択図】図１
0003100945.tif 000002
【実用新案登録請求の範囲】
【請求項１】
真空パツトを応用して取りつけた吸着盤が、鋭利な刃物や、千枚通し等で簡単に取りはずす事が出来得ないように防御壁を吸着盤の外壁に内壁に上下作動する防御壁を持つ吸着盤。
【考案の詳細な説明】
【０００１】この吸着盤は真空を応用した物で、一般には板ガラス等の搬送用に使用される器具を改良して目的をかなえた。この吸着盤は成型された製品の保護具の中に円形の板状の柔軟性のあるゴムが板ガラスに密着する様にして円形の中心にある軸を引き上げて、板ガラスとゴム板の中間に真空帯が発生して器具を固定する。ゴム板と板ガラスの間の真空帯は千枚通し等で簡単に破壊される。特に自動車のウインドゥー硝子は曲面が多く車種により千差万別である。考案の器具は平面はもとより自動車のウインドゥー硝子の曲面に固定でき、千枚通し等で簡単に真空帯が破壊されない様に、硝子面にせする保護具の外周囲と内周囲に曲面に添って作動する硬度を有する防護壁を取りつけて千枚通し等で簡単に真空帯が破壊されない様にした考案の吸着盤
【考案の属する技術】
【０００２】曲面、平面、車体に自在に取りつけが出来て、鍵の解除があつてから曲面、平面、車体面より器具の取り外しが出来て、鋭利な刃物、千枚通し等で安易に器具の取り外しが出来ない構造を有する防護壁を多重に取りつけた，考案した吸着盤。
【従来の技術】
【０００３】従来の真空を応用した吸着盤は平面状の平板硝子等の搬送。壁掛けの家具として実用化されている。いずれも鋭利な刃物、千枚通し等で取り外す必要がないので吸着面より離脱する時は自前の解除装置で脱着が出来る。よつて吸着盤のゴム板と吸着面には多分な間隔があつても問題がない。
【考案が解決しようとする課題】
【０００４】吸着盤はウインドゥー硝子等の曲面に吸着する吸着盤が鋭利な刃物や千枚通しで安易に離脱しない様に吸着盤と接着面の間隙に防護壁を作つて，千枚通し等で真空が破壊され吸着盤が安易に離脱しない様にする装置を持つ吸着盤。
【課題を解決する為の手段】
【０００５】吸着盤と接着面の間隙の円周面に千枚通し等の先端の硬度と同等以上の硬度を有する自在調節の出来る防護壁を取りつけた。吸着盤とゴム盤の円周間に厚さを有し，硬度の有する部品に上下に作動するバネ材を装着して，吸着盤と接着面が密着して，鋭利な刃物や千枚通の先端が引っ掛かる構造にし安易に防護壁を貫通せず安易に真空が破壊されず，吸着盤が離脱しないこと。
【考案の実施の形態】
【０００６】吸着盤の形状は球状の半円型で，被接着面に密着すると簡単に手で掴みにくく，移動しがたい形状とした樹脂，ダイカストの成形品とする
【０００７】吸着盤の構造は球状の半円型部と真空発生装置部と真空破壊防御壁からの三部構造から成立している。
【０００８】吸着盤の形状は球状の半円型で，被接着面に密着する円周には鋭利な刃物や千枚通の先端が吸着盤に密着している真空を破壊出来ない様に硬度の有るリング状の防御壁を装着する。被接着面に密着する材質によつてはリング状の防御壁を装着しない事も有る。
【０００９】吸着盤は鋭利な刃物や千枚通の先端が吸着盤に密着している硬度の有るリング状の防御壁を通過すると，硬度の有する部品に上下に作動するバネ材の装置が作動して鋭利な刃物や千枚通の先端が引っ掛かつて接着面に密着する真空の破壊を阻止する、重構造とした。バネ材により上下に作動する硬度を有する構造物は、接着面の溝にリング状に０、５から１０ｍｍ，の厚みあるもので、リングは、円周に対し４から１２等分してある。樹脂成形の時はバネ構造も一体成形される。
【００１０】吸着盤に，密着して真空を発生させるパットは厚みを２から１０ｍｍの円板状として外形は１１０から４０ｍｍとする。吊り上げ軸を取り付ける穴は円板の中心の軸穴の周囲に三角状の溝を３から１２ほんを成形加工する。真空を発生させるパットの硬度はＴＥＣＬＯＣＫのゴム硬度計ＴＹＰＥ−Ａ（ＧＳ−７０６Ｎ）３０から７０度とする。真空を発生させるパットの材質はゴムの種類（ＡＳＴＭ）による略称で，ＮＢ，ＩＲ，ＳＢＲ，ＢＲ，ＣＲ，ＩＩＲ，ＮＢＲ，ＥＰ、ＣＳＭ，ＡＣＭ，ｕ，Ｑ，ＦＫＭ，Ｔ，軟質ＰＶＣ，ＥＶＡ樹脂，より選択する。
【００１１】吸着盤に真空を発生させるパットの吊り上げ軸を，吊り上げ方式はネジ方式，カム方式，の何れかを選択する。パットの吊り上げ幅は１から１０ｍｍの範囲とする。
【実施例】
【００１２】吸着盤は半球状に成形された樹脂と真空を発生させるパツトの吊り上げ軸と吊り上げ固定具を装着し接着面の外壁に硬度を有するリング状の防御壁をそなえ接着面の溝に多等分割されたリングがスプリングの作動により被接着面の曲面にそつて上下に作動して，被接着面と吸着盤が密着して，鋭利な刃物や千枚通しを受けつけない構造とした。
【考案の効果】
【００１３】吸着盤は自動車のウインドゥー硝子やボデーの曲面に吸着盤を固定しようとする時，吸着盤の吸着面の直径１００ｍｍでウインドゥー硝子と吸着盤のＹ軸方向で密着すが，Ｘ軸方向で０，８ｍｍ程の間隙が発生する，この間隙に鋭利な刃物や千枚通の先端を挿入する事で簡単に真空が破壊されて吸着盤が脱離してその目的を失うので，此を阻止する為の防護壁として，硬度を有する多等分に分割されたリング状の部品が上下に作動するバネ材装置が，作動して被吸着面に密着するので鋭利な刃物や千枚通の先端が引っ掛かつて，接着面に密着する真空装置の破壊を阻止する重構造として，吸着盤の真空装置の鍵を解除しないと簡単に吸着盤の脱離が出来ない。
【図面の簡単な説明】
【図１】（１）取り付ける前の吸着盤の断面図
（イ）吸着盤のゴム板。
（ロ）吸着盤の解除鍵。
（ハ）リング状の外壁の防御壁。
（ニ）多等分に分割されたリング状の防御壁。
（ホ）上下に作動するバネ材。
（ヘ）違反シールの取りつけ溝。
【図２】（１）被物体の接着面に真空装置を作動して固定した吸着盤の断面図
（２）被物体の接着面に真空装置を作動して固定した吸着盤接触面図
（イ）球状の半円形の吸着盤。
（ロ）真空発生装置部とゴムパットの吊り上げ軸。
（ハ）真空帯。
（ニ）多等分に分割されたリング状の防御壁が被物体に密着。
【図１】
0003100945.tif 000003
【図２】
0003100945.tif 000004
【手続補正書】
【提出日】平成15年5月21日(2003.5.21)
【手続補正１】
【補正対象書類名】明細書
【補正対象項目名】実用新案登録請求の範囲
【補正方法】変更
【補正の内容】
【実用新案登録請求の範囲】
【請求項１】
真空パツトを応用して取りつけ吸着盤が、鋭利な刃物や、千枚通し等で簡単に取り外しする事が出来得ないように、防護壁を吸着盤の外壁（ハ）と吸着盤の内側に上下に作動する防護壁（ニ）を持つ吸着盤。
【手続補正書】
【提出日】平成15年5月21日(2003.5.21)
【手続補正１】
【補正対象書類名】図面
【補正対象項目名】全図
【補正方法】変更
【補正の内容】
【図１】
0003100945.tif 000005
【図２】
0003100945.tif 000006
【手続補正書】
【提出日】平成15年5月21日(2003.5.21)
【手続補正１】
【補正対象書類名】明細書
【補正対象項目名】図２
【補正方法】変更
【補正の内容】
【図  ２】
（１）被物体の接着面に真空発生装魔を作動して固定した吸着盤の接触断面図。
（ニ）多等分に分割されたリング状の防護壁。
（ト）球状の半円形の吸着盤。
（チ）真空発生装置部のゴム板の吊り上げ軸。
（リ）真空帯。




【手続補正書】
【提出日】平成15年10月9日(2003.10.9)
【手続補正１】
【補正対象書類名】明細書
【補正対象項目名】実用新案登録請求の範囲
【補正方法】変更
【補正の内容】
【実用新案登録請求の範囲】
【請求項１】
真空パットを応用して被物体に取り付けた吸着盤が、鋭利な刃物や、千枚通し等で簡単に取り外しする事が出来得ないように、吸着盤の外周に第１防護璧（ハ）と吸着盤の内側に上下に作動する第２防護璧（ニ）の異なる部材で装備された吸着盤。